(57)【要約】本発明は、  歯科用３Ｄスキャナ（１０）中の光学系の焦点（２４）を変化させるための装置（２８）であって、  走査対象（２２）に対する焦点の位置を変化させるために、前方反転位置と後方反転位置との間で可動のレンズ（２０）を有するレンズユニット（３０）と、  レンズの光軸（４６）に平行な誘導軸（４８）に沿って、前方反転位置と後方反転位置との間のレンズユニットの動きを誘導するための誘導ユニット（３４）と、  レンズユニットの動きを駆動するための駆動ユニット（３６）と、駆動ユニットは、アンカー（４０）と固定子（４２）とを有するリニアモータ（３８）を含み、アンカーは、誘導軸に平行な駆動ユニットの駆動軸（４４）に沿って可動であり、固定子は、誘導ユニットに付着される、  を備える、装置（２８）に関する。本発明は更に、３Ｄ走査対象を走査するための歯科用３Ｄスキャナ（１０）に関する。
2022502176.tif 000002
【特許請求の範囲】
【請求項１】
歯科用３Ｄスキャナ（１０）中の光学系の焦点（２４）を変化させるための装置（２８）であって、
走査対象（２２）に対する焦点の位置を変化させるために、前方反転位置と後方反転位置との間で可動のレンズ（２０）を有するレンズユニット（３０）と、
前記レンズの光軸（４６）に平行な誘導軸（４８）に沿って、前記前方反転位置と前記後方反転位置との間の前記レンズユニットの動きを誘導するための誘導ユニット（３４）と、
前記レンズユニットの前記動きを駆動するための駆動ユニット（３６）と、を備え、
前記駆動ユニットは、アンカー（４０）と固定子（４２）とを有するリニアモータ（３８）を含み、前記アンカーは、前記誘導軸に平行な前記駆動ユニットの駆動軸（４４）に沿って可動であり、前記固定子は、前記誘導ユニットに付着される、装置（２８）。
【請求項２】
前記駆動ユニット（３６）は、第１の方向への前記アンカー（４０）の動きが前記第１の方向とは反対の第２の方向への前記レンズ（２０）の動きに伝達されるように、前記アンカーの動きと前記レンズユニット（３０）の動きとを結合するための結合具（５０）を含む、請求項１に記載の装置（２８）。
【請求項３】
前記結合具（５０）は、前記アンカー（４０）から前記レンズユニット（３０）に力を伝達するために、前記アンカーと前記レンズユニットとを接続するための可撓性接続要素（５２）を含み、
前記可撓性接続要素（５２）は、好ましくは、スチールストリップを含む、
請求項２に記載の装置（２８）。
【請求項４】
前記結合具（５０）は、前記可撓性接続要素（５２）を引張するための引張要素（５４）を含み、
前記引張要素は、好ましくは、ばねを含む、
請求項３に記載の装置（２８）。
【請求項５】
前記結合具（５０）は、前記アンカー（４０）の前記動きを反転させるための反転要素（５６）を含み、
前記反転要素は、好ましくは、玉軸受を含む、
請求項２〜４のうちのいずれか一項に記載の装置（２８）。
【請求項６】
前記誘導ユニット（３４）は、前記前方反転位置と前記後方反転位置との間の前記レンズユニット（３０）の位置を決定するための位置センサ（６２）を含み、
前記位置センサは、好ましくは、光学距離測定センサを含む、
請求項１〜５のうちのいずれか一項に記載の装置（２８）。
【請求項７】
前記駆動ユニット（３６）は、前記位置センサ（６２）のセンサ信号に基づいて、前記レンズユニット（３０）の前記動きを制御するように構成される、請求項６に記載の装置（２８）。
【請求項８】
前記誘導ユニット（３４）は、リニア再循環玉軸受誘導部（５８）を含み、
前記レンズユニット（３０）は、前記リニア再循環玉軸受誘導部に係合するための係合要素（６０）を含む、
請求項１〜７のうちのいずれか一項に記載の装置（２８）。
【請求項９】
前記レンズユニット（３０）の質量は、前記レンズ（２０）及び前記アンカー（４０）の加速によって生じる反力を補償するために、前記アンカーの質量に等しい、請求項１〜８のうちのいずれか一項に記載の装置（２８）。
【請求項１０】
前記誘導軸（４８）に平行な前記レンズユニット（３０）の質量中心線（６６）は、前記誘導軸に平行な前記アンカー（４０）の質量中心線（６４）に対応する、請求項１〜９のうちのいずれか一項に記載の装置（２８）。
【請求項１１】
前記リニアモータ（３８）は、ブラシレス３相リニアサーボモータであり、
前記リニアモータは、好ましくは、前記固定子に対する前記アンカー（４０）の位置を測定するためのホールセンサを含む、
請求項１〜１０のうちのいずれか一項に記載の装置（２８）。
【請求項１２】
前記アンカー（４０）の最大変位は、前記前方反転位置と前記後方反転位置との間の距離に等しい、請求項１〜１１のうちのいずれか一項に記載の装置（２８）。
【請求項１３】
前記駆動ユニット（３６）は、２〜２０Ｈｚ、好ましくは、５〜１０Ｈｚ、特に、７．５Ｈｚの振動周波数で、選択可能な前方振動位置（２０ａ）と選択可能な後方振動位置（２０ｂ）との間で振動するように前記レンズユニット（３０）の前記動きを駆動するように構成される、請求項１〜１２のうちのいずれか一項に記載の装置（２８）。
【請求項１４】
３次元走査対象（２２）を走査するための歯科用３Ｄスキャナ（１０）であって、
請求項１〜１３のうちのいずれか一項に記載の装置（２８）と、
前記レンズ（２０）を通過する前記走査対象からの光信号を検出するための検出器（１６）と、
前記走査対象の周りで前記歯科用３Ｄスキャナ（１０）を手動で誘導するための手持ちハウジング（１２）と
を備える、歯科用３Ｄスキャナ（１０）。
【請求項１５】
前記駆動ユニット（３６）を制御するための制御ユニット（１８）を備える、請求項１４に記載の歯科用３Ｄスキャナ（１０）。
【発明の詳細な説明】
【技術分野】
【０００１】
本発明は、歯科用３Ｄスキャナ中の光学系の焦点を変化させるための装置に関する。本発明は更に、歯科用３Ｄスキャナに関する。
【背景技術】
【０００２】
人口の平均余命の増大及び技術的進歩を踏まえると、歯の再建並びに義歯及び歯科補綴物の使用は、近年ますます重要になっている。これらの目的のために、また歯科学の分野における他の用途のためにも、患者の口内の状況を正確に評価する必要がある。従来のアプローチは、この点において、患者の顎及び残存歯の印象を作るために、軟質材料、特にワックスを利用することを含む。この印象は次いで、それぞれの患者の特定の必要性に合わせて人工歯列をカスタマイズするためのモデルを構築するための基礎を形成する。
【０００３】
近年、歯科医師及び歯科技工所の技工士は、患者の口内で取得された走査データに基づいて患者の口内の状況の３次元表現を生成するための３Ｄスキャナ（断層撮影スキャナと呼ばれることもある）にますます頼っている。そのようなモデルは、例えば、コンピュータ支援補綴物設計の基礎を形成することができる。インサイチュ（ｉｎ−ｓｉｔｕ）走査データを得るための口腔内３Ｄスキャナとして、患者の口内に挿入される様々な手持ちデバイスが存在する。例えば、カメラセンサが、それぞれのデータを収集するために使用されることができる。通常、カメラは、上顎若しくは下顎、又は再建の対象となる顎の関心部分の周りを手動で動かされる。
【０００４】
走査及び再構成は、例えば、縞投影法に基づくことができる。対象は、構造化された光パターンで照らされる。これらのパターンは、走査対象によって変調され、次いで、投影に対して既知の角度でカメラによって画像として記録される。記録された画像を分析することによって表面変調を計算するために、フーリエ変換などの技法が使用されることができる。これらのデータに基づいて、走査対象の３Ｄ座標を得ることが可能である。
【０００５】
異なる３Ｄ測定原理は、画像センサの光学系のレンズが、焦点（又は焦点面）を変化させるために動かされることを必要とする。検出器（画像センサ）及び／又はプロジェクタに対してレンズを前後に動かすことによって、走査対象の空間次元に関する情報を得ることが可能になる。この測定原理は、共焦点顕微鏡の機能に対応する。カメラが手持ちデバイスである場合、走査対象に対するカメラの相対動きが測定の正確度に影響しないように、レンズが十分な速度で動かされることが重要である。通常、歯科用３Ｄスキャナ中の可動レンズの振動周波数は、約２〜２０Ｈｚである。
【０００６】
これに関して、欧州特許第２０５１０４２Ｂ１号は、対象を断層撮影により記録するためのデバイスに関する。このデバイスは、光源の下流の光ビームの光軸に配置された第１のグリッドを備え、その光ビームは、第１のグリッドのパターンが対象上に投影され得るように、対象を照射する前に通して案内され得る。デバイスは、センサ上の対象を撮像するための光学撮像アセンブリを更に備える。また更に、デバイスは、反射された光ビームの光軸に設けられた第２のグリッドを備え、第２のグリッドは、第１のグリッドに一致するパターンを有し、第１のグリッドのパターンを有する反射された光ビームは、第１のグリッドのパターン及び第２のグリッドのパターンの上に重なることから生じるモアレパターンで対象によって反射された光ビームをセンサが感知するように、第２のグリッドを通して誘導される。
【０００７】
可動レンズによる３次元走査への現在のアプローチの１つの課題は、振動である。特に、より高い周波数では、手持ち走査デバイス中のレンズの動きは、走査デバイスの振動をもたらす可能性がある。これらの振動は、収集されたデータ及び再構成された３Ｄ走査のぶれを引き起こす可能性がある。そのような振動を補償するための１つのアプローチは、カウンターウェイトを利用することである。そのようなカウンターウェイトは、レンズと同じ速度で、しかし反対方向に動かされることができる。これは、しかしながら、総質量が増大し、そのため、適切な振動周波数でレンズを動かすことがより困難になるという欠点を有する。
【発明の概要】
【０００８】
上記を踏まえて、本発明は、可動レンズを有する歯科用３Ｄスキャナの画質を改善するという問題に直面する。特に、本発明は、デバイスの軽量構造を可能にするにもかかわらず、口腔内適用のための手持ち走査デバイスの振動を低減することを目的とする。可動レンズの高い振動周波数及び素早い反応は、走査対象に対する手持ちデバイスの手動での動きの補償を可能にするために望まれる。
【０００９】
この問題を解消するために、本発明の第１の態様は、歯科用３Ｄスキャナ中の光学系の焦点を変化させるための装置であって、走査対象に対する焦点の位置を変化させるために、前方反転位置と後方反転位置との間で可動のレンズを有するレンズユニットと、レンズの光軸に平行な誘導軸に沿って、前方反転位置と後方反転位置との間のレンズユニットの動きを誘導するための誘導ユニットと、レンズユニットの動きを駆動するための駆動ユニットと、駆動ユニットは、アンカーと固定子とを有するリニアモータを含み、アンカーは、誘導軸に平行な駆動ユニットの駆動軸に沿って可動であり、固定子は、誘導ユニットに付着される、  を備える、装置に関する。
【００１０】
別の態様では、本発明は、３次元走査対象を走査するための歯科用３Ｄスキャナであって、  上記に規定されたような装置と、  レンズを通過する走査対象からの光信号を検出するための検出器と、  走査対象の周りで３Ｄスキャナを手動で誘導するための手持ちハウジングと  を備える、歯科用３Ｄスキャナに関する。
【００１１】
本発明の好ましい実施形態が、本願従属請求項に規定されている。特許請求の範囲に記載された歯科用３Ｄスキャナは、特許請求の範囲に記載されたような、特に、本願従属請求項に規定され、本明細書に開示されたような装置と同様の及び／又は同一の好ましい実施形態を有することが理解されるべきである。
【００１２】
本発明の装置は、レンズと、前方反転位置と後方反転位置との間で可動のそれぞれの固定部とを含むレンズユニットを有する。この動きは、誘導ユニットによって、レンズの光軸に平行な方向（誘導軸）に誘導される。レンズのこの動きによって、レンズと歯科用３Ｄスキャナの光検出器及びプロジェクタとの間の距離が変化する。前方反転位置では距離が増大する。それによって、走査対象に対する焦点の位置が修正される。言い換えれば、走査対象は、異なる深度又は異なる平面で走査される。動きは、リニアモータを有する駆動ユニットによって駆動される。リニアモータの固定子は、誘導ユニットに付着され、アンカーの動きは、レンズユニットに伝達される。通常、レンズは、走査対象を走査している間に振動周波数で振動される。レンズの動きは、それによって、前方反転位置と後方反転位置との間の距離によって制限される。しかしながら、レンズは、より小さい振幅によって動かされることも可能である。
【００１３】
本発明は、歯科用３Ｄスキャナ中のレンズを動かすためにリニアモータを利用するという考えに基づいている。圧電アクチュエータ（圧電音響ドライブ）を用いた以前のアプローチ、即ち、回転動きを直線動きに変換するためのリンク運動に基づくアプローチ、又はボイスコイルアクチュエータに匹敵するアクチュエータをアラインさせるアプローチと比較して、本発明のリニアモータは、レンズの動きの制御を非常に精確且つ正確にすることができるという利点を有する。レンズの動きを走査対象のサイズ及び位置に適合させるために反転点を自由に選ぶことが可能になる。レンズの位置は、対応するセンサによって非常に正確に評価されることができる。更に、レンズユニットの高い加速が可能であり、そのため、高い振動周波数が実現されることができる。その結果、高品質の走査が生成されることができる。
【００１４】
好ましい実施形態では、駆動ユニットは、第１の方向へのアンカーの動きが第１の方向とは反対の第２の方向へのレンズの動きに伝達されるように、アンカーの動きとレンズユニットの動きとを結合するための結合具を含む。このことから、リニアモータのアンカーは、レンズユニットの動きによって引き起こされる振動を補償するためのカウンターウェイトとして使用される。別個のカウンターウェイトを必要とする以前のアプローチと比較して、これは、より軽量な構造が得られることができるという利点を有する。更に、アンカーをカウンターウェイトとして利用することによって、レンズユニット及びカウンターウェイトの動きのタイミングが確実にされる。レンズユニットはカウンターウェイトによって駆動されるので、振動は生じ得ない。測定の正確度が改善され、対象の高品質の３次元画像が生成されることができることが確実にされる。
【００１５】
ある実施形態では、結合具は、アンカーからレンズユニットに力を伝達するために、アンカーとレンズユニットとを接続するための可撓性接続要素を含む。可撓性接続要素は、好ましくは、スチールストリップを含む。スチールストリップは、スチールテープと呼ばれることもできる。可撓性接続要素は、アンカーの動きを反対方向へのレンズユニットの動きに変換する又は伝える。このために、接続要素は、好ましくは、単一の方向に可撓性があり、そのため、それは、それぞれの偏向の周りで誘導されることができ、その縦軸に対して剛性があり、そのため、圧縮力及び牽引力の両方が、アンカーからレンズユニットに送られることができる。スチールストリップ又はスチールバンドは、そのような特性を有し、このことから、有利に使用されることができる。
【００１６】
別の好ましい実施形態では、結合具は、接続要素を張力するための引張要素を含む。引張要素は、好ましくは、ばねを含む。引張要素を利用することによって、アンカーの動きがレンズユニットの動きに円滑に伝達されることを確実にすることが可能になる。接続要素が力を受けて一定に保持される場合、振動は生じない。特に、直線動きが反対方向に反転されるとき、オーバーシュートが妨げられることが重要である。好ましくは、この機能を提供するためにばねが使用される。振動が最小化され、そのため、３次元走査の品質が改善されることが確実にされる。
【００１７】
ある実施形態では、結合具は、アンカーの動きを反転させるための反転要素を含む。この反転要素は、好ましくは、玉軸受を含む。アンカーからレンズユニットに動きを伝達するために、方向の変化に対応する偏向を利用することが有利である。この機能を提供するために、高い振動周波数が低い振動で得られるように、摩擦を最小化する玉軸受を利用することが可能である。これは、高速でのレンズユニットの精確な動きが保証されて、生成される３Ｄ走査の品質が改善されるという効果を有する。
【００１８】
更に別の実施形態では、誘導ユニットは、前方反転位置と後方反転位置との間のレンズユニットの位置を決定するための位置センサを含む。位置センサは、好ましくは、光学距離測定センサを含む。レンズの位置を決定し、それによって、誘導ユニット内の焦点の位置を決定するために位置センサを含むことが可能である。光学距離測定センサは、特に、距離の精確な決定を可能にするレーザセンサ又は同様のものに相当し得る。例えば、位置センサが固定部分に取り付けられることができ、光ビームが誘導ユニットの可動部分に向けられることができる。位置センサを利用することによって、レンズユニットの動きを制御し、レンズユニットの動きを現在の走査対象の位置及び形状に適合させることが可能になる。精確な測定は、走査対象の高品質の３Ｄ走査をもたらす。
【００１９】
好ましい実施形態では、駆動ユニットは、位置センサのセンサ信号に基づいて、レンズユニットの動きを制御するように構成される。特に、位置センサのセンサ信号を活用してレンズユニットの動きを制御すると有利である。それによって、測定された変数は、制御されることを意図された変数、即ち、焦点又は焦点面の位置を直接示す。アンカーの位置を測定し、アンカーの位置に基づいて制御を実行する代替案は、対照的に、アンカーの動きがレンズの動きに伝達される必要があるため、直接的な制御に対応しないであろう。レンズユニットは、位置センサのセンサ信号を利用することによって焦点又は焦点面位置の直接的な測定が得られるように、レンズに剛性接続される。精確な制御が保証され、そのため、走査品質が更に改善されることができる。
【００２０】
更に別の好ましい実施形態では、誘導ユニットは、リニア再循環玉軸受誘導部を含む。レンズユニットは、リニア再循環玉軸受誘導部に係合するための係合要素を含む。リニア再循環玉軸受誘導部は、レンズユニットのそれぞれの部分が誘導軸に沿って誘導されるレールに相当する。摩擦は最小化又は低減され、そのため、レンズユニットの精確且つ迅速な動きが可能になる。これもまた、走査品質が改善されるという効果を有する。
【００２１】
更に別の好ましい実施形態では、レンズユニットの質量は、レンズ及びアンカーの加速によって生じる反力を補償するために、アンカーの質力に等しい。好ましくは、レンズユニットの質量は、アンカーの質量に等しくなるように選ばれる。両方の質量が同じであれば、反対方向への動きは完全に補償され、そのため、結果として生じる振動は最小化されるか、又は完全に防止される。それによって、反対方向に動く２つの部分の総質量が等しくなることを確実にするために、レンズユニット又はアンカーのうちのいずれかについての追加の質量（平衡質量）を利用することがオプションとして可能である。手持ちスキャナの最小化された振動は、高品質の３Ｄ走査をもたらす。
【００２２】
別の好ましい実施形態では、誘導軸に平行なレンズユニットの質量中心線は、誘導軸に平行なアンカーの質量中心線に対応する。可動部分の質量中心線が互いにアラインされることを確実にすることによって、ヒンジ又はトルクモーメントを補償することが可能になる。アンカー及びレンズユニットが互いに対して反対方向に動かされる又は加速されるとき、トルクモーメントが生み出されないことが確実にされる。走査品質は更に改善される。
【００２３】
別の好ましい実施形態では、リニアモータは、ブラシレス３相リニアサーボモータである。リニアモータは、好ましくは、固定子に対するアンカーの位置を測定するためのホールセンサを含む。追加のセンサとして、３相リニアサーボモータ中のホールセンサを利用することが可能である。このホールセンサは、特に、サーボモータへの電力入力を制御して精確な制御性を可能にするために使用されることができる。
【００２４】
別の実施形態では、アンカーの最大変位は、前方反転位置と後方反転位置との間の距離に等しい。必要とされる構造又は空間は、アンカーの最大変位が前方反転位置と後方反転位置との間の距離に対応する場合に最小化される。２つの可動部分の動きが連結されているので、一方の動きが他方よりも大きな変位を有する必要はない。必要とされる構造空間及び総重量が最小化され、製造コストが低減される。
【００２５】
別の好ましい実施形態では、駆動ユニットは、２〜２０Ｈｚ、好ましくは、５〜１０Ｈｚ、特に、７．５Ｈｚの振動周波数で、選択可能な前方振動位置と選択可能な後方振動位置との間で振動するようにレンズユニットの動きを駆動するように構成される。振動は、最大変位で行われる必要はない。より小さい走査対象に対しては、走査対象の寸法が完全にカバーされるように焦点が変化すれば十分である。より小さい振幅を利用する利点は、より高い周波数が得られることができることである。より高い周波数は、走査対象に対する３Ｄスキャナの動きが補償されることができるという結果をもたらす。リニアモータは、レンズユニットがその間で振動する前方振動位置及び後方振動位置の精確な選択を可能にする。
【００２６】
歯科用３Ｄスキャナの好ましい実施形態では、それは、駆動ユニットを制御するための制御ユニットを備える。制御ユニットは、レンズユニットの動きのパラメータを制御するために、異なるセンサ信号及びユーザ入力（オプション）を利用する。特に、レンズユニットの動きの振動周波数と振幅を調整することが可能になる。
【００２７】
本明細書では、光学系の焦点は、焦点面位置に対応する。焦点面の焦点は、画像又は対象が合焦される距離を表す。走査対象は、特に、単一の歯、複数の歯、又は人間の顎であり得る。歯科用３Ｄスキャナの可動レンズが手持ちハウジングに一体化され、そのため、レンズのより高い振動周波数が３Ｄスキャナの操作者によって引き起こされるハウジングの動きを補償するために必要とされる他のエリアに、本発明の原理を適用することが可能である。例えば、本発明の原理は、産業用３Ｄスキャナにも使用されることができる。
【００２８】
本発明のこれら及び他の態様は、以下に記載される実施形態から明らかになり、それらを参照して解明されるであろう。添付の図面は以下の通りである。
【図面の簡単な説明】
【００２９】
【図１】本発明のある態様に係る歯科用３Ｄスキャナの概略図を示す。
【図２】３Ｄスキャナ中の可動レンズに基づく測定原理の概略図を示す。
【図３】レンズユニットが後方反転位置にある、本発明に係る装置の概略斜視図を示す。
【図４】レンズユニットが前方反転位置にある装置の概略斜視図を示す。
【図５】装置の概略側面図を示す。
【図６】装置の概略上面図を示す。
【図７】側面図で質量中心線の位置の概略図を示す。
【図８】底面図で質量中心線の位置の概略図を示す。
【発明を実施するための形態】
【００３０】
図１では、本発明に係る３次元走査対象を走査するための歯科用３Ｄスキャナ１０が概略的に例示されている。歯科用３Ｄスキャナ１０は、手持ちハウジング１２を含む。例示された例では、手持ちハウジング１２は、操作者の手で保持される拡張後方部１２ａと、患者の口内に挿入される先細前方部１２ｂとを有する。後方部１２ａにはケーブルが取り付けられており、それを介して、手持ちハウジング１２は、例えば、パーソナルコンピュータに相当し得る制御デバイス１４に接続されている。歯科用３Ｄスキャナ１０は、その先細前方部１２ｂに窓を有しており、それを光信号が通過して手持ちハウジング１２の内側の検出器１６に到達することができる。歯科用３Ｄスキャナ１０は、例示された例では制御デバイス１４に含まれる制御ユニット１８によって制御される。
【００３１】
本発明の歯科用３Ｄスキャナ１０は、特に、患者の口内の状況のインサイチュ走査を得るために、歯科医師の手術において又は歯科技工所においても使用することができる。通常、患者の口内の状況は、口腔内で走査される。しかしながら、患者の口の外側の走査対象を走査することも可能である。手持ちハウジング１２は、走査対象の周りで３Ｄスキャナを動かす歯科医又は歯科技工士によって手で誘導される。これは、３Ｄ表現を得るためにインサイチュ走査を得ることを可能にする。概略的に例示されているように、データ収集中に走査対象、特に、患者の歯又は顎のライブビジュアライゼーションがスクリーン上に表示されると有利である。
【００３２】
例示された実施形態は一例であり、異なるコンポーネントが異なる方法で配置されることも可能であることが理解されるべきである。例えば、手持ちハウジング１２が制御ユニット１８を含むこと、及び／又は手持ちハウジング１２がワイヤレス接続を介して制御デバイス１４と接続されることが可能である。また、手持ちハウジング１２が歯科用３Ｄスキャナの全てのコンポーネントを含み、走査対象の画像のみが別個の外部スクリーンに転送されることが可能である。
【００３３】
図２では、歯科用３Ｄスキャナ１０の測定原理が概略的に例示されている。歯科用３Ｄスキャナ１０は、レンズ２０を有し、検出器１６に到達するより前に走査対象２２からの光信号がレンズを通過する。走査プロセスは、それによって、可変焦点２４に基づいている。焦点２４は、焦点面に対応する。焦点２４は、走査対象２２の空間次元全体がサンプリングされるように変化する。言い換えれば、検出器１６によって得られた画像は、３Ｄスキャナ１０又はその検出器１６からそれぞれ可変距離で合焦される。測定原理は、それによって、共焦点顕微鏡に対応する。通常、レンズは、焦点を周期的に変化させるために振動する。
【００３４】
例示された実施形態では、レンズ２０は、前方振動位置２０ａと後方振動位置２０ｂとの間で動かされる。レンズ２０を動かすことによって、焦点２４は、走査対象２２の上方の第１の位置２４ａから走査対象２２の下方の第２の位置２４ｂ又は走査対象２２の関心エリアに動かされる。通常、レンズ２０は、走査対象２２の一定のサンプリングが得られるように、一定の振動周波数で２つの位置間で振動する。歯科用３Ｄスキャナ１０は、走査対象２２に対してその位置に固定されず、手動での口腔内適用を可能にするために走査対象２２の周りを手動で動かされるので、振動周波数は、それによって、約１０Ｈｚである。そのような比較的高い振動周波数を利用することによって、走査対象２２に対するスキャナの動きに起因する得られた走査のぶれが回避される。例示された実施形態では、レンズ２０と走査対象２２との間にミラー２６が配置されている。レンズ２０の動きは、それによって、本発明に係る光学系の焦点を変化させるための装置２８によって得られる。
【００３５】
図３及び図４では、本発明の歯科用３Ｄスキャナ中の光学系の焦点を変化させるための装置２８が斜視図で概略的に例示されている。装置２８は、レンズ２０を有するレンズユニット３０と、レンズ２０を保持するための対応する保持具３２と、レンズユニット３０の動きを誘導するための誘導ユニット３４と、動きを駆動するための駆動ユニット３６とを含む。
【００３６】
レンズユニット３０は、それによって、全ての可動部分を含む。レンズユニット３０は、図４に例示されているような前方反転位置と図３に例示されているような後方反転位置との間で可動である。前方反転位置では、レンズ２０と検出器とによって形成される光学系の焦点がレンズから更に離れるように動かされるように、検出器（図示せず）までの距離が増大する。
【００３７】
駆動ユニット３６は、アンカー４０及び固定子４２を有するリニアモータ３８を含む。アンカー４０は、駆動軸４４に沿って固定子４２に対して動かされる。通常、３相リニアサーボモータが、リニアモータ３８として使用される。リニアモータ３８は、リニアモータハウジングと一体化され、リニアモータ３８の電源を制御するために使用されるセンサ信号を提供するホールセンサ３９（図示せず）を含み得る。駆動ユニット３６によって引き起こされる動きは、駆動軸４４に平行である。それによって、駆動軸４４は、レンズ２０の光軸４６と、レンズユニット３０の動きが誘導ユニット３４によって誘導される誘導軸４８とに平行である。レンズ２０の光軸４６は、レンズ２０の中心を通っている。
【００３８】
図３及び図４に例示されているように、前方反転位置と後方反転位置との間のレンズユニット３０の直線動きは、アンカー４０の動きとは反対方向である。レンズユニット３０が前方に動かされるとき、図４に例示されるように、アンカー４０は、後方に動かされる。この反対の動きを利用することによって、レンズユニット３０が振動するときにその質量によって引き起こされる振動を補償することが可能になる。好ましくは、レンズユニット３０の質量は、それによって、最適な振動除去が得られるように、アンカー４０の質量と同等である。アンカー４０及びレンズユニット３０のうちの一方に重量を加えることが可能である。
【００３９】
一方では、レンズユニット３０は、前方反転位置と後方反転位置との間で動かされることが可能である。それによって、前方反転位置と後方反転位置との距離は、最大変位を表す。しかしながら、リニアモータ３８は、レンズユニット３０の動きがより小さい変位の対象となるように制御されることも可能である。リニアモータ３８の使用は、レンズユニット３０の動きが前方反転位置と後方反転位置との間の任意の所望される位置で反転されることができるという利点を有する。これに関して、前方振動位置及び後方振動位置は、レンズユニット３０の動きが反転された位置に対応する。前方振動位置と後方振動位置間との間の距離は、前方反転位置と後方反転位置との間の距離よりも小さい。
【００４０】
図５では、装置２８は、レンズユニット３０及び駆動ユニット３６の運動を更に説明するために、概略側面図で例示されている。後方向（図５の例示において右側）へのアンカー４０の動きを前方向（左側）へのレンズユニット３０の動きに変換するためには、その動きを反転させる必要がある。このために、駆動ユニット３６の結合具５０は、リニアモータ３８とレンズユニット３０との間に配置される。
【００４１】
結合具５０は、特に、アンカー４０からレンズユニット３０に力を伝達する可撓性接続要素５２を含み得る。例示された実施形態では、可撓性接続要素５２は、より高い振動周波数で反復力を伝達するのに十分に強く、牽引力及び圧縮力の両方を伝えることが可能なスチールストリップである。結合具５０は、好ましくは、例示された実施形態では、ばねを備える引張要素５４を含む。引張要素５４は、可撓性接続要素５２に力を加えるために使用され、そのため、この可撓性接続要素５２は引張を受けており、振動することなく力を伝達することができる。これは、レンズユニット３０の動きが前方反転位置若しくは後方反転位置で、又は前方振動位置若しくは後方振動位置で反転されるときに特に重要である。
【００４２】
結合具５０は、例示された実施形態では玉軸受を備える反転要素５６を更に含む。この反転要素５６は、１８０°の方向変化を通じて可撓性接続要素５２を誘導することによってアンカー４０の動きを反転させる。例示された実施形態では、２つの玉軸受が使用されている。
【００４３】
図６では、誘導ユニット３４の機能は、装置２８の上面図に基づいて例示されている。誘導ユニット３４は、レンズユニット３０と駆動ユニット３６とを接続する。誘導ユニット３４は、リニアモータ３８の固定子４２に付着される。レンズユニット３０とリニアモータ３８のアンカー４０とは、誘導ユニット３４及び固定子４２に対して動かされる。
【００４４】
例示された実施形態では、誘導ユニット３４は、レンズユニット３０の係合要素６０が誘導される再循環玉軸受誘導部５８を含む。リニア再循環玉軸受誘導部５８は、それによって、レールに匹敵する機能を果たす。玉軸受を利用することによって、摩擦が最小化され、そのため、高い振動周波数が可能になる。
【００４５】
更に、誘導ユニット３４は、誘導ユニット３４に対するレンズユニット３０の位置、特に、横方向位置に関する情報を得ることを可能にする位置センサ６２を含む。例示された実施形態では、位置センサ６２は、距離を測定する光学センサである。レンズユニット３０のこの位置は、レンズの現在位置及び焦点、並びにリニアモータ３８のアンカー４０の現在位置の直接的な尺度である。位置センサ６２のセンサ信号は、直接的なフィードバック及び制御ループが可能になるように、駆動ユニット３６を制御するために使用されることができる。特に、特定の前方振動位置及び後方振動位置を指定し、現在位置を制御して、位置センサのセンサ信号に基づいて他方向に動くかどうかを決めることが可能である。それによって、対応する制御は、歯科用３Ｄスキャナに含まれることもできる又は別個の処理デバイスに外部に配置されることができる制御ユニット中で実行されることができる。
【００４６】
図７及び図８では、装置２８が、側面図（図７）及び底面図（図８）で概略的に例示されている。歯科用３Ｄスキャナの振動ももたらす可能性があるトルクモーメント及び回転力を最小化するために、アンカー４０の質量中心線６４がレンズユニット３０の質量中心線６６に等しいことが有利である。質量中心線６４、６６は、それによって、誘導軸に平行である。図７及び図８の２つの異なる図に例示されているように、アンカーの質量中心線６４及びレンズユニットの質量中心線６６は、側面図及び底面図の両方において等しい。この構成は、トルク力の発生を防止するのを可能にする
【００４７】
前述の議論は、単に本開示の例証的な実施形態を開示及び説明しているに過ぎない。当業者によって理解されるように、本開示は、その趣旨又は本質的な特性から逸脱することなく、他の特定の形式で具現化され得る。それ故に、説明は、例示的であることを意図されているが、本開示の範囲及び他の特許請求の範囲を限定するものではない。本開示は、本明細書の教示の任意の容易に認識可能な変形形態を含めて、本発明の主題が公に献呈されないように、前述の特許請求の範囲の専門用語の範囲を部分的に規定する。
【００４８】
特許請求の範囲では、「備える」という単語は、他の要素又はステップを除外せず、不定冠詞「ａ」又は「ａｎ」は、複数を除外しない。単一の要素又は他のユニットが、特許請求の範囲に記載されたいくつかの項目の機能を果たし得る。ある特定の手段が相互に異なる従属請求項に記載されているという単なる事実は、これらの手段の組み合わせが有利に使用されることができないことを示すものではない。
【図１】
2022502176.tif 000003
【図２】
2022502176.tif 000004
【図３】
2022502176.tif 000005
【図４】
2022502176.tif 000006
【図５】
2022502176.tif 000007
【図６】
2022502176.tif 000008
【図７】
2022502176.tif 000009
【図８】
2022502176.tif 000010
【国際調査報告】
2022502176.tif 000011
2022502176.tif 000012